(57)【特許請求の範囲】
【請求項１】
釣り用の浮子であって、浮子本体と、この浮子本体を上下に貫通し釣り糸を挿通できる挿通孔と、この挿通孔の下端に連通して突出し貫通孔軸周りに回転可能な円筒部と、この円筒部に左右に貫通し釣り糸を挿通できる貫通孔と、を有することを特徴とする釣り用浮子。
【請求項２】
前記挿通孔は、前記浮子本体を上下に貫通する外側パイプを有して形成され、前記円筒部は、前記外側パイプの内側に同軸に位置し前記外側パイプの上下からの抜け止め機構を有する内側パイプが、前記外側パイプの下端から突出した突出下端部によって形成されたことを特徴とする請求項１に記載の釣り用浮子。
【請求項３】
前記抜け止め機構は、内側パイプの上下端に設けられた外拡径部と、この外拡径部を収納するために前記外側パイプの上下端に設けられた内拡径部と、を有してなることを特徴とする請求項２に記載の釣り用浮子。
【請求項４】
前記内側パイプの長さは、前記外側パイプの長さよりも短く、前記内側パイプの上端の縁部はＶ字状を有することを特徴とする請求項３に記載の釣り用浮子。
【請求項５】
前記内側パイプは前記外側パイプに対して長さ方向へ移動可能に設けられ、前記内側パイプと前記外側パイプとの長さの差は、前記突出下端部の突出量よりも大きく、よって前記突出下端部が出没可能となることを特徴とする請求項４に記載の釣り用浮子。
【請求項６】
前記外側パイプの上端から挿入されて、前記内側パイプの上端を押圧し、この内側パイプの下端部を突出させる押圧パイプを備えたことを特徴とする請求項５に記載の釣り用浮子。
【請求項７】
前記外側パイプの上端から挿入されて、夜間の視認性を高める発光体を備えたことを特徴とする請求項３に記載の釣り用浮子。
【請求項８】
前記外側パイプの上端から挿入されて、視認性を高める棒材を備えたことを特徴とする請求項３に記載の釣り用浮子。
【発明の詳細な説明】
【技術分野】
【０００１】
この発明は、釣り用の浮子の構造に関する。
【背景技術】
【０００２】
釣り、特に磯釣りなどでは、浮子は、環付き浮子と中通し浮子との２種が採用される。図４（Ａ）に示すように、環付き浮子１０１Ａは、浮子の下端に環状金具１０３が回転可能に設けられ、この環状金具１０３の中を釣り糸１０５が通される。浮子下、すなわち浮子１０１Ａの下の釣り糸１０５の長さを固定するときには、環状金具１０３を挟んで、釣り糸１０５上の上下に浮子止め（図示せず）を取付ける。
【０００３】
図４（Ｂ）に示すように、中通し浮子１０１Ｂは、浮子１０１Ｂを上下に貫通する孔１０７が設けられ、この孔１０７の中を釣り糸１０５が通される。浮子下、すなわち浮子１０１Ｂの下の釣り糸１０５の長さを固定するときには、この孔１０７の端に爪楊枝などを挿入して、釣り糸１０５と浮子１０１Ｂを固定する。
【０００４】
また、図４（Ｂ）に示すような中通し浮子１０１Ｂを、図４（Ａ）に示すような環付き浮子１０１Ａとして使用するためのアダプター１０９，１１１も存在する。すなわち図４（Ｃ）に示すように、中通し浮子１０１Ｂの孔１０７の上から、上端が大きい棒状のアダプター１０９の下端を挿入し、この下端を通したゴム管１１３で浮子１０１Ｂの下端を支えて、アダプター１０９を装着する。このアダプター１０９の下端には、環状金具１１５が回転可能に設けられる。このような棒状のアダプター１０９は、下記の非特許文献１に示すウエブサイトに開示されている。
【０００５】
さらに、別のアダプター１１１では、図４（Ｄ）に示すように、中通し浮子１０１Ｂの孔１０７の下内部に雌ネジ１１７を形成しておき、栓様のアダプター１１１の上端に形成された雄ネジ１１９を挿入し螺合することで、アダプター１１１を装着する。このアダプター１１１の下端には、環状金具１２１が回転可能に設けられる。
【０００６】
また、下記特許文献１には、浮子自体に交差する２本の貫通孔を設けるものが提案されている。
【先行技術文献】
【特許文献】
【０００７】
【特許文献１】特開2002-209488
【非特許文献１】http://www.tsuriken.co.jp/pc/Tsuriken/pc/tsuriken/km/cyuuya-adaoter.html
【発明の概要】
【発明が解決しようとする課題】
【０００８】
しかしながら、中通し浮子１０１Ｂを環付き浮子１０１Ａとして使用するためのアダプター１０９、１１１は、中通し浮子１０１Ｂとして使用したり環付き浮子１０１Ａとして使用したりするたびにアダプター１０９、１１１を脱着しなければならず、脱着作業が面倒である。
【０００９】
また、特許文献１の浮子は、浮子自体に交差する２本の貫通孔を設けなければならず、浮子の製造が面倒である。また、浮子は釣り糸に対して回転できず、そのため浮子に釣り糸が絡みついてしまう可能性が大きい。
さらに、アダプターの装着により、装着前の浮子と重量・体積などの変化があり、その釣りに適正な浮子として浮力誤差が生じてしまう。
この発明は、以上の問題点を解決するために、中通し浮子と環付き浮子との機能を切換えて使用でき、アダプターを脱着する必要がなく、浮子の製造が面倒でなく、浮子に釣り糸が絡みついてしまう可能性が少ない釣り用浮子を提供することを目的とする。
【課題を解決するための手段】
【００１０】
以上の課題を解決するために、第一発明は、釣り用の浮子であって、浮子本体と、この浮子本体を上下に貫通し釣り糸を挿通できる挿通孔と、この挿通孔の下端に連通して突出し貫通孔軸周りに回転可能な円筒部と、この円筒部に左右に貫通し釣り糸を挿通できる貫通孔と、を有することを特徴とする釣り用浮子である。
【００１１】
第二発明は、さらに、前記挿通孔は、前記浮子本体を上下に貫通する外側パイプによって形成され、前記円筒部は、前記外側パイプの内側に同軸に位置し前記外側パイプの上下からの抜け止め機構を有する内側パイプが、前記外側パイプの下端から突出した突出下端部によって形成されたことを特徴とする釣り用浮子である。
【００１２】
第三発明は、さらに、前記抜け止め機構は、内側パイプの上下端に設けられた外拡径部と、この外拡径部を収納するために前記外側パイプの上下端に設けられた内拡径部と、を有してなることを特徴とする釣り用浮子である。
第四発明は、さらに、前記内側パイプの長さは、前記外側パイプの長さよりも短く、前記内側パイプの上端の縁部はＶ字状を有することを特徴とする釣り用浮子である。
第五発明は、さらに、前記内側パイプは前記外側パイプに対して長さ方向へ移動可能に設けられ、前記内側パイプと前記外側パイプとの長さの差は、前記突出下端部の突出量よりも大きく、よって前記突出下端部が出没可能となることを特徴とする釣り用浮子である。
【００１３】
第六発明は、さらに、前記外側パイプの上端から挿入されて、前記内側パイプの上端を押圧し、この内側パイプの下端部を突出させる押圧パイプを備えたことを特徴とする釣り用浮子である。
第七発明は、さらに、前記外側パイプの上端から挿入されて、夜間の視認性を高める発光体を備えたことを特徴とする釣り用浮子である。
第八発明は、さらに、前記外側パイプの上端から挿入されて、視認性を高める棒材を備えたことを特徴とする釣り用浮子である。
【発明の効果】
【００１４】
第一、第二、又は第三発明によれば、中通し浮子として使用するには、釣り糸を挿通孔に挿通すればよい。環付き浮子として使用するには、釣り糸を貫通孔に挿通すればよい。よって、アダプターは無用であり、脱着アダプターを脱着する必要がない。
また、釣り糸を挿通する貫通孔は、円筒部に左右に貫通して設けられるので、浮子自体に設ける必要がなく、浮子の製造が面倒でない。
さらに、環付き浮子として使用する際に、釣り糸が挿通される貫通孔が設けられる円筒部は、回転可能なので、浮子に釣り糸が絡みついてしまう可能性が少ない。
アダプターを装着せずに済むので、装着前の浮子との重量・体積などの変化により浮力誤差が生ぜず、同じ浮力で環付き浮子に切換えることができる。
【００１５】
第二、又は第三発明によれば、さらに、発明を構成する主な部材は、外側パイプと内側パイプとなり、簡易な構造が得られ、本発明の釣り用浮子の製造コストを抑えることができる。
第三発明によれば、さらに、抜け止め機構は、内側パイプと外側パイプに設けられた各々の拡径部によって構成され、簡易な構造が得られ、本発明の釣り用浮子の製造コストを抑えることができる。
第四発明によれば、さらに、内側パイプの長さを、外側パイプの長さよりも短くし、また、内側パイプの上端の縁部をＶ字状とすることで、釣り糸を、挿通孔に挿通する際に、挿通孔は、この挿通孔を構成する外側パイプ、内側パイプの順に段々に狭くなるとともに、Ｖ字状の働きで、糸詰まりが防止でき、挿通が楽に行える。
【００１６】
第五発明によれば、さらに、内側パイプは外側パイプに対して長さ方向へ移動可能に設けられ、内側パイプと外側パイプとの長さの差は、突出下端部の突出量よりも大きくすることで、突出下端部が出没可能となる。このため、突出下端部を没入させ外側パイプの内部に収納した状態で使用する際に、突出下端部による抵抗をなくせる。
【００１７】
第六発明によれば、さらに、外側パイプの上端から挿入されて、内側パイプの上端を押圧し、この内側パイプの下端部を突出させる押圧パイプを備えたことで、突出下端部の出没動作を容易に行える。
第七発明によれば、さらに、外側パイプの上端から挿入されて、夜間の視認性を高める発光体を備えたことで、夜釣り対応の浮子として使用できる。
第八発明によれば、さらに、前記外側パイプの上端から挿入されて、視認性を高める棒材を備えたことで、遠くからでも、浮子の様子が観察できる。
【図面の簡単な説明】
【００１８】
【図１】この発明の一実施形態を示すもので、（Ａ）は外観側面図、（Ｂ）は（Ａ）の縦断面図、（Ｃ）は（Ａ）の９０度角度を変えた縦断面図である。
【図２】（Ａ）は図１（Ｂ）の要部拡大図、（Ｂ）は図１（Ｃ）の要部拡大図である。
【図３】（Ａ）は図２（Ａ）の外観図、（Ｂ）は（Ａ）を構成する外側パイプの外観図、（Ｃ）は（Ａ）を構成する内側パイプの外観図、（Ｄ）は（Ｃ）を構成する主パイプ部品の外観図、（Ｅ）は（Ｃ）を構成する外拡径用パイプ部品の外観図である。
【図４】従来の浮子を示すもので（Ａ）は環付き浮子の外観図、（Ｂ）は中通し浮子の外観図、（Ｃ）は中通し浮子を棒状のアダプターを用いて環付き浮子として使用する外観図、（Ｄ）は中通し浮子をネジ式のアダプターを用いて環付き浮子として使用する外観図である。
【図５】この発明の他の実施形態を示すもので、図１（Ｃ）に相当する縦断面図である。
【図６】この発明のさらに他の実施形態を示すもので、（Ａ）は図５に相当する縦断面図、（Ｂ）は（Ａ）の動作を示す図、（Ｃ）は（Ａ）（Ｂ）の押圧パイプを示す縦断面図、（Ｄ）は（Ｃ）の斜視図、（Ｅ）は（Ａ）の下方から見た斜視図である。
【図７】（Ａ）は図６に夜間の視認性を高める発光体を取付けた状態を示す図、（Ｂ）は図６に視認性を高める棒材を取付けた状態を示す図である。
【発明を実施するための形態】
【００１９】
この発明の一実施形態を、図１から図３に示す。
［全体の概略］
図１に示すように、この浮子１は、主に磯釣りなどに用いる浮子１であって、浮子本体３は浮力のある木などの材料が用いられる。この浮子本体３を上下に挿通孔５が貫通し形成される。この挿通孔５に釣り糸７を挿通する。これにより従来の中通し浮子１として使用できる。
【００２０】
この挿通孔５の下端に連通して、円筒部９が突出する。円筒部９は、貫通孔軸周りに回転可能の構造を有する。そして、この円筒部９に、貫通孔１１が左右に貫通する。この貫通孔１１に釣り糸７を挿通する。これにより従来の環付き浮子１として使用できる。
［要部の構造］
図１、図２に示すように、この浮子１の要部は、浮子１の左右方向の中心で、上下に設けられる二重パイプ構造体１３である。
図２、図３に示すように、二重パイプ構造体１３は、外側パイプ１５と内側パイプ１７が同軸に配置される。外側パイプ１５は、浮子１の上下に開けられた孔１８に圧入されて固定される。この外側パイプ１５に対して内側パイプ１７は若干の間隙を有して回転可能である。
【００２１】
内側パイプ１７を構成する細い主パイプ部品１９の上下端には、短い外拡径用パイプ部品２１Ａ，２１Ｂが同軸に固定される。これにより、内側パイプ１７は、上下端に、外側に拡径する外拡径部２３を有することになる。
外側パイプ１５の上下端には、内径が大きくなった内拡径部２５を有する。この内拡径部２５は、外拡径部２３を収納するために、外拡径部２３に対応する形状で、形成される。
【００２２】
内側パイプ１７の下端の両側面には、貫通孔１１が、外拡径用パイプ部品２１の両側面をも連なって貫通する。この貫通孔１１が設けられる内側パイプ１７の下端の外拡径部２３は、外側パイプ１５の下端から突出する十分な長さを有し、突出下端部２７となる。
以上の構造により、浮子１の挿通孔５は、浮子本体３を上下に貫通する外側パイプ１５によって形成されることとなる。また、貫通孔１１を有し回転可能な円筒部９は、内側パイプ１７の突出下端部２７によって構成される。また、外側パイプ１５から内側パイプ１７が上又は下へ抜けるのを防止するための抜け止め機構が、内側パイプ１７の外拡径部２３と、外側パイプ１５の内拡径部２５と、によって構成される。
【００２３】
「実施形態の効果」
以上の実施形態によれば、中通し浮子１として使用するには、釣り糸７を挿通孔５に挿通すればよい。また、環付き浮子１として使用するには、釣り糸７を挿通孔５から外し、貫通孔１１に挿通すればよい。よって、使用の切換のために従来のようなアダプターは無用であり、よって脱着アダプターを脱着する脱着作業の必要がない。
【００２４】
また、環付き浮子１として使用するために釣り糸７を挿通する貫通孔１１は、内側パイプ１７の突出下端部２７によって構成される円筒部９に設けられるので、浮子１自体に設ける必要がなく、浮子１の製造が面倒でない。
また、環付き浮子１として使用する際に、釣り糸７が挿通される貫通孔１１が設けられる円筒部９は、回転可能なので、浮子１が回転（図１（Ａ）中のＲ）などの動きをしても、その動きを釣り糸７に伝えないようにでき、よって、浮子１に釣り糸７が絡みついてしまう可能性が少ない。
【００２５】
さらに、この浮子１を構成する主な部材は、外側パイプ１５と内側パイプ１７となり、よって簡易な構造が得られる。このため浮子１の製造コストを抑えることができる。
さらに、抜け止め機構は、内側パイプ１７と外側パイプ１５に設けられた各々の拡径部２５，２７によって構成され、簡易な構造が得られる。このため浮子１の製造コストを抑えることができる。
【００２６】
また、アダプターを装着せずに済むので、装着前の浮子との重量・体積などの変化により浮力誤差が生ぜず、同じ浮力で環付き浮子に切換えることができる。
また、従来の環付き浮子は、環状金具の１箇所で釣り糸を支えているが、この実施形態では、釣り糸７は、内側パイプ１７の下端の両側面に貫通する２箇所の貫通孔１１で支える（例えば図１（Ｃ）参照）ので、釣り糸の滑りがよいため、浮子を投入する際の釣り糸の負担が軽減でき、アタリ(魚の食いつき)の感度増幅などがある。
【００２７】
また、環付き浮子の優位性である糸落ちが良いこと、釣り糸が風や波の抵抗を受けにくいこと、また、中通し浮子の優位性であるラインコントロールが良い（道糸を張るとウキが見えなくなる事が無い）こと、等を釣りの状況に応じて現場で、容易に選択できる。
【００２８】
「他の実施形態」
以上の実施形態では、内側パイプ１７の外拡径部２３は、外拡径用パイプ部品２１が用いられたが、他の実施形態では、内側パイプ１７と一体的に外拡径部２３を設けても良い。
【００２９】
以上の実施形態では、二重パイプ構造体１３を構成する外側パイプ１５と内側パイプ１７は、上下の全長にわたって同様の長さであったが、他の実施形態では、内側パイプ１７の長さを短くし、外側パイプ１５の下端にのみ、内側パイプ１７を設けてもよい。
以上の実施形態では、二重パイプ構造体１３を構成する外側パイプ１５と内側パイプ１７は、上下の全長にわたって同様の長さであったが、他の実施形態では、外側パイプ１５と内側パイプ１７の長さをともに短くし、浮子１の孔の下端にのみ、二重パイプ構造体１３を設けてもよい。
【００３０】
以上の実施形態では、貫通孔１１を有し回転可能な円筒部９は、二重パイプ構造体１３を構成する内側パイプ１７の突出下端部２７であった。しかし、他の実施形態では、二重パイプ構造体１３を用いずに、浮子１の挿通孔５の下端に、ネジによって、ベース円筒部を装着し、このベース円筒部に対して回転可能な回転円筒部を設けても良い。これによっても貫通孔１１に連通して突出し貫通孔軸周りに回転可能な円筒部９が得られる。
【００３１】
以上の実施形態では、貫通孔１１は、内側パイプ１７の下端の両側面に貫通する２箇所に設けられたが、他の実施形態では、例えば図５に示すように、内側パイプ１７の下端に形成される外拡径部２３の片側をカットして、１箇所の貫通孔１１とすることができる。１箇所とすることで、釣り糸との接触による抵抗を軽減できる場合がある。カットは、例えば竹を切るように斜めにカットしても良いし、逆Ｌ字状にカットしても良い。
【００３２】
以上の実施形態では、抜け止め機構は、内側パイプ１７の上下端に設けられた外拡径部２３と、この外拡径部２３を収納するために外側パイプ１５の上下端に設けられた内拡径部２５と、を有してなるものであったが、他の実施形態では、他の機構を採用できる。例えば、内側パイプ１７の外側面に突起を形成し、その突起を納めた状態で上下移動ができる溝を、外側パイプ１５の内側面に、上下方向に形成することもできる。
【００３３】
以上の実施形態では、内側パイプ１７と外側パイプ１５の長さはほぼ同じであったが、図６に示す他の実施形態のように、内側パイプ１７の長さを外側パイプ１５の長さよりも短くすることで、釣り糸の挿通が楽になり、更には、内側パイプ１７の突出下端部２７を出没可能に収納することも可能になる。
【００３４】
すなわち、図６（Ａ）に示すように、浮子本体３を上下に開けられた孔１８に、外側パイプ１５が圧入され貫通する。そして、孔１８の上端よりも下方に、外側パイプ１５の上端が位置する。さらに、内側パイプ１７の長さは、外側パイプ１５の長さよりも半分以下程度に、短く形成される。その分、上部の内拡径部２５は深く、外側パイプ１５の中程まで形成される。内側パイプ１７の下端部は、突出下端部２７として、外側パイプ１５の下端から下方へ突出するので、この短い内側パイプ１７は、必然的に、外側パイプ１５の下部に位置する。また、短い内側パイプ１７の上端の縁部は、Ｖ字状にカットされてＶ字状部分３１を有する。
【００３５】
このようにすることで、釣り糸を、挿通孔５に挿通する際に、挿通孔５は、挿通孔５を構成する孔１８、外側パイプ１５、内側パイプ１７の順に段々に狭くなることで、いわゆる糸落ちが良く、挿通が楽である。更には、内側パイプ１７のＶ字状部分３１の働きで、糸詰まりが防止でき、挿通が楽である。
【００３６】
また、内側パイプ１７は外側パイプ１５に対して、抜け止めが働く範囲で、長さ方向へ移動可能に設けられる。この移動は、一定の摩擦抵抗を伴って行なわれるように、内側パイプ１７は外側パイプ１５に接触する。そして内側パイプ１７と外側パイプ１５との長さの差は、内側パイプ１７の突出下端部２７の突出量よりも十分に大きい。これにより、よって突出下端部２７が出没可能となる。突出した状態（図６（Ａ）（Ｅ））で環付き浮子として使用し、突出下端部２７を没入させ外側パイプ１５の内部に収納した状態（図６（Ｂ））で、中通し浮子１として使用でき、中通し浮子１として使用する最中に、突出下端部２７による抵抗をなくせる。
【００３７】
そして、図６（Ａ）に示すように、外側パイプ１５の上端から挿入されて、内側パイプ１７の上端を押圧し、この内側パイプ１７の下端部を突出させる薄肉の押圧パイプ３３を備える。この押圧パイプ３３は、図６（Ｃ）（Ｄ）に示すように、上部にフランジ３５を有して縦断面がＴ字状をなす。そして、外側パイプ１５の深く形成された上部の内拡径部２５の上端に常設されるか、または、別に備えられる。図６（Ａ）のように、指３７で押圧パイプ３３の上端を押すことで、内側パイプ１７の上端が押圧され、この内側パイプ１７の突出下端部２７を突出させる。逆に、図６（Ｂ）に示すように、指３７で突出下端部２７を押し上げれば、突出下端部２７は没入し、押圧パイプ３３は元の上方位置に戻る。このようにして、突出下端部２７の出没動作を容易に行える。
【００３８】
また、図６の実施形態では、図７に示すように、夜間の視認性を高める発光体３９や、視認性を高める棒材４１を取付けて使用することができる。
すなわち、外側パイプ１５の内拡径部２５に対して、あるいは内拡径部２５の上端に常設される薄肉の押圧パイプ３３に対して（図７（Ａ））、上端から、夜間の視認性を高める発光体３９が挿入される。この発光体３９は、棒状のもので、例えば、市販されている株式会社ルミカ製の発光浮（商品名：ケミホタル）を利用できる。このようにして、発光体３９を挿入し装着する事により、夜釣り対応の環付き浮子として使用できる。
【００３９】
また、外側パイプ１５の内拡径部２５に対して、あるいは内拡径部２５の上端に常設される薄肉の押圧パイプ３３に対して（図７（Ｂ））、上端から、視認性を高める棒材４１が挿入される。この棒材４１は、パイプ状の円柱体、あるいは一般的な棒状の浮子を利用することもできる。視認性を高めることで、遠くからでも、浮子の様子が観察できる。
【符号の説明】
【００４０】
１…浮子、３…浮子本体、５…挿通孔、７…釣り糸、９…円筒部、１１…貫通孔、１３…二重パイプ構造体、１５…外側パイプ、１７…内側パイプ、１９…主パイプ部品、２１…外拡径用パイプ部品、２３…外拡径部、２５…内拡径部、２７…突出下端部、３１・・Ｖ字状部分、３３・・押圧パイプ、３５・・フランジ、３７・・指、３９・・発光体、４１・・棒材。
【図１】
0005442664.tif 000002
【図２】
0005442664.tif 000003
【図３】
0005442664.tif 000004
【図４】
0005442664.tif 000005
【図５】
0005442664.tif 000006
【図６】
0005442664.tif 000007
【図７】
0005442664.tif 000008